(57)【特許請求の範囲】
【請求項１】
地面を掘削して形成された溝内で、この溝の長手方向に沿って単位管を接続し、その後前記溝を埋める管埋設工法であって、
前記単位管の接続部に対応する前記溝の位置に会所を形成し、前記会所の両側に土嚢を積み上げ、前記土嚢上に前記単位管を載置し、さらに土嚢を積み上げて堰を形成し、次いで、前記単位管を接続し、そして、前記会所内を流動体により埋め戻すと共に、前記会所間の前記溝を、前記溝を掘削した土砂により埋め戻すことを特徴とする管埋設工法。
【請求項２】
前記流動体は、前記溝を形成する際に掘削された土砂に水を混合して形成したものであることを特徴とする請求項１に記載の管埋設工法。
【発明の詳細な説明】
【０００１】
【発明の属する技術分野】
本発明は、上下水道管やガス管等の管を地下に埋設する管埋設工法に関する。
【０００２】
【従来の技術】
地中に水道管等の管を埋設する場合、図５に示すように、地面を掘削して溝２０を形成し、この溝２０の内部に所定長さの単位管２１を溝の長手方向（図５の紙面を貫く方向）に沿って複数接続し、その後、溝２０を埋め戻して管を設ける管埋設工法が知られている。かかる工法は、概ね、溝の掘削工程、単位管の設置工程、設置された単位管同士の溶接工程、溶接部分の検査工程、単位管接続部の防食工程及び埋め戻し工程から成り、これらの工程が順次施されて管を地中に埋設している。
【０００３】
これらの工程中、防食工程では、熱収縮性を有するシュリンクチューブやシュリンクシートを加熱収縮させ、単位管２１の接続部分の外周面に被覆して防食層２２を形成して行っている。
【０００４】
【発明が解決しようとする課題】
かかる防食工程が終了した直後は、防食層２２の温度は約８０℃と高温であり、防食層２２はまだ固まっていない。この状態で埋め戻しを行うと溝２０に注がれた土砂を突き固める際、この圧力が防食層２２に伝わり土砂と防食層２２との間に発生する摩擦力Ｆにより防食層２２が単位管２１の周面に沿って下部へ押し寄せられてしまう。そのため、図５に示すように単位管２１の接続部分の下端部で、防食層２２が単位管の外周面から剥離し、隙間２３が形成される場合がある。この隙間２３の部分に水が溜まると、隙間２３の部分から管の腐食が進展してしまう。
【０００５】
かかる不具合の発生を防止すべく、防食工程が終了した後に防食層２２を保護するためその周囲に更にポリエチレンのシートを被覆することも行われているが、かかる手段を施しても防食層２２が冷えて固まらないうちは管２１の下部へ押しやられる現象を防止することができない。
【０００６】
そのため、防食層２２が冷えるのを待って埋め戻し工程に移るのが実情であり、施工効率が悪く、工期が長期化していた。
【０００７】
本発明はかかる不都合に鑑みて成されたものであり、効率よく管を埋設し、しかも確実に接続部を防食する管埋設工法を提供する。
【０００８】
【課題を解決するための手段】
上記問題を解決するために、請求項１の発明では、地面を掘削して形成された溝内で、この溝の長手方向に沿って単位管を接続し、その後前記溝を埋める管埋設工法であって、前記単位管の接続部に対応する前記溝の位置に会所を形成し、前記会所の両側に土嚢を積み上げ、前記土嚢上に前記単位管を載置し、さらに土嚢を積み上げて堰を形成し、次いで、前記単位管を接続し、そして、前記会所内を流動体により埋め戻すと共に、前記会所間の前記溝を、前記溝を掘削した土砂により埋め戻すこととした。
【０００９】
単位管同士を接続する接続部では、この接続部が腐食するのを防止するため防食層を接続部の外周面に設けることが行われている。このこの防食層は、熱収縮性を有するフィルム状の部材を加熱して接続部の外周面に密着させて形成される。
【００１０】
本発明によれば、流動体と防食層との間には摩擦力が発生しないので防食層が接続の下面に押し集められることが無く、防食層の接続への密着状態を保持することができる。そのため、接続部と防食層との間に水が浸入することが無く、確実に防水する。
【００１１】
また、流動体で埋め戻すゆえ、流動体が乾燥した後の層が均質であり突き固めの作業を要せず、工期を短縮する。
【００１２】
請求項２の発明では、請求項１記載の管埋設工法において、前記流動体は、前記溝を形成する際に掘削された土砂に水を混合して形成したものであることを特徴とする。
【００１３】
本発明では、流動体に含有される水分が高温に加熱された防食層を冷却し、短時間で、防食層の接続部外周面への密着状態を形成する。また、掘削時の土砂を使用するので投棄される廃棄物を発生させることが無い。
【００１４】
【発明の実施の形態】
以下、本発明の実施の形態について図面を参照しながら説明する。
【００１５】
図１は、地面に形成された溝２に、本発明にかかる管埋設工法で水道管１を埋設する状況を示している。溝２は図示しない油圧ショベル等の重機を利用して、地表から一定の深さ水平方向に沿って掘削して形成されている。埋設される水道管１は、複数の単位管３‥３をクレーン装置等より溝内に搬入し、溝２の長手方法に沿って順次配置してこれらの端面同士を接続して設けられている。また、水道管１の接続部４‥４の近傍には、長手方向の前後両側に堰５‥５がそれぞれ設けられており、各単位管３‥３はその長手方向の両端部がこれら堰５‥５に支持されている。なお、各単位管３‥３の外周面には、単位管３‥３が腐食するのを防止するため、その全面に防食材が予め塗布されており、この防食材を保護するため、単位管３‥３を溝底部に直置きせずに溝底部から一定の高さを保持して堰５‥５により支持されている。
【００１６】
なお、溝２には、その長手方向において水道管１の接続部４‥４に対応する位置に、幅広かつ深く形成された会所２Ａ，２Ｂ‥が形成されている。これら会所２Ａ，２Ｂ‥は、溝２の接続部４‥４に対応する分部に広いスペースを確保して、単位管同士を接続する際、作業者が溶接作業や検査作業を行いやすくするために形成されたものである。
【００１７】
図２は、図１のＩＩ−ＩＩ断面であり、堰５‥５を溝の長手方向に見た図を示している。この堰５‥５は、土砂を袋詰めして成る土嚢６‥６が複数積載されて形成されたもので、溝２内において溝２と各単位管３‥３の外周面との間の空間部を隙間なく閉塞するようにして設けられている。但し、溝２上端まですべてを閉塞するように積載する必要はなく、この図２に示すように、上部を若干あまらせる程度積載すれば十分である。なお、この堰は、土嚢を複数積載して形成するものには限定されず、例えば、粘土で壁を形成するようにして設ける等その他の手法で設けてもよい。
【００１８】
図３は、単位管３，３同士が接続される接続部４を示している。単位管３，３の長手方向の端部には、単位管３，３の中央部に比し外径が若干小さく形成された突合わせ部３ａ，３ａが長手方向に一定長さ形成されている。単位管３，３は突合わせ部３ａ，３ａの端面同士を当接させて、この当接させた部分を全周に亘り溶接して接続されている。本図の符号７は溶接ビードを示している。なお、溶接作業をし終えた後は、放射線検査法、超音波探傷検査法、磁気探傷検査法その他の溶接欠陥検査方法により溶接部分の検査を行い、もし、溶接欠陥が有れば直ちに補修すようにしている。
【００１９】
そして、検査・補修作業の後、この接続部４が腐食するのを防止するため、防食層８を設ける工程が施される。この防食工程では、例えば、両単位管３，３の端部に形成された突合わせ部３ａ，３ａの外周面に防食性に優れたシュリンクシートを全面に被覆して行われる。この図３に示す防食層８は、熱収縮性のあるフィルム状の薄いシュリンクシートをおよそ８０℃に加熱して、突き合わせ部３ａ，３ａの外周全面に隙間なく密着させて形成されたものである。
【００２０】
以上のようにして単位管を接続し終えた後は、この接続部に対応する会所と、この接続部より以前に単位管を接続した接続部に対応する会所との間の溝を順次埋め戻している。例えば、図１において、会所２Ｂ、会所２Ａの順で接続作業を進めた場合、本図において接続作業が完了した会所２Ｂより右側の溝部分では埋め戻しが既に終了している。会所２Ａと会所２Ｂと間の溝部は、会所２Ａで単位管３‥３同士の溶接、検査、防食のすべての作業が終了した後に、埋め戻す作業が行われる。
【００２１】
図４に示すように、溝２の単位管３の長手方向中央部に対応する部分２Ｃを埋め戻す場合に、溝２を形成する際に掘削した土砂をそのまま溝２に埋め戻している。これに対し、接続部４の近傍をを埋め戻す際には、流動体を堰５と堰５の間に充填して埋め戻している。なお、本実施形態において、この流動体は、掘削された土砂に水を混入して形成したものが使用されているがこれには限定されず、例えば、土砂とセメントの混合物に水を混入せしめたもの等その他のものを使用しても構わない。
【００２２】
このように、流動体を充填すれば、流動体に含有される水分により防食層８が冷やされ、この防食層８は単位管３の突合わせ部外周面との密着状態を保持したまま固化する。また、流動体と防食層８の外周面との間に生じる摩擦を極力抑えることとができ、防食層８が突合わせ部の下端に押し集められることなく、単位管３の突合わせ部との密着状態が保持される。なお、流動体に含有される水分は、溝２の底部及び側壁面から地面へ吸収され、短時間で通常の土砂と同様の状態となる。その後は、溝上部の残りの部分に土砂を直接投入して溝を完全に埋め戻す。
【００２３】
以上、水道管を例にして説明したがこれに限定されるものではなく、本発明は、ガス管等の他の管を埋設する場合にも適用できる。
【００２４】
【発明の効果】
以上、本発明によれば、管を構成する単位管同士の接続部を保護する防食層を確実に単位管に密着させて接続部での腐食の発生を確実に防止する。
【図面の簡単な説明】
【図１】本発明の管埋設工法により水道管を埋設する様子を示す説明図。
【図２】図１に示す溝及び水道管のＩＩ−ＩＩ断面を示す横断面図。
【図３】単位管同士の接続部を示す一部断面図。
【図４】水道管が埋め戻された状態を示す説明図。
【図５】従来の工法で埋め戻した管の単位管接続部を示す横断面図。
【符号の説明】
１  管（水道管）
２  溝
２Ａ，２Ｂ  会所
３  単位管
４  接続部
５  堰
６  土嚢
８  防食層
【図１】
0004203201.tif 000002
【図２】
0004203201.tif 000003
【図３】
0004203201.tif 000004
【図４】
0004203201.tif 000005
【図５】
0004203201.tif 000006